(57)【要約】【課題】ボックス体の背板内面および両側板内面などに配設した面状ヒータに別々に配線しなくてもよく、配線が目立たないようにし、さらにボックス体内の温度をムラなく上昇させて、使用者の下半身、特に足元を寒く感じさせないようにしたサウナ装置を提供する。【解決手段】ボックス体１の後板１ａ内面、天板１ｂ内面、両側板１ｃ、１ｄ内面および底板１ｅ内面に、面状ヒータＨの後板用面状ヒータ部Ｈａ、天板用面状ヒータ部Ｈｂ、両側板用面状ヒータ部Ｈｃ、Ｈｄ、底板用面状ヒータ部Ｈｅがそれぞれが配設され、前記ボックス体の後板内面に配設される面状ヒータの後板用面状ヒータ部の上辺に、天板内面に配設される天板用面状ヒータ部が連結され、後板用面状ヒータ部の両側辺に、両側板内面に配設される両側板用面状ヒータ部が連結され、さらに後板用面状ヒータ部の下辺に、底板内面に配設される底板用面状ヒータ部が連結されたものにしている。【選択図】　　　　図１
2004089360.tif 000002
【特許請求の範囲】
【請求項１】
ボックス体（１）の後板（１ａ）内面、天板（１ｂ）内面、両側板（１ｃ、１ｄ）内面および底板（１ｅ）内面に、面状ヒータ（Ｈ）の後板用面状ヒータ部（Ｈａ）、天板用面状ヒータ部（Ｈｂ）、両側板用面状ヒータ部（Ｈｃ、Ｈｄ）、底板用面状ヒータ部（Ｈｅ）がそれぞれが配設されたサウナ装置において、前記ボックス体（１）の後板（１ａ）内面に配設される面状ヒータ（Ｈ）の後板用面状ヒータ部（Ｈａ）の上辺に、天板（１ｂ）内面に配設される天板用面状ヒータ部（Ｈｂ）が連結され、後板用面状ヒータ部（Ｈａ）の両側辺に、両側板（１ｃ、１ｄ）内面に配設される両側板用面状ヒータ部（Ｈｃ、Ｈｄ）が連結され、さらに後板用面状ヒータ部（Ｈａ）の下辺に、底板（１ｅ）内面に配設される底板用面状ヒータ部（Ｈｅ）が連結されたことを特徴とするサウナ装置。
【請求項２】
前記面状ヒータ（Ｈ）の各面状ヒータ部（Ｈａ、Ｈｂ、Ｈｃ、Ｈｄ、Ｈｅ）は、前記ボックス体（１）の後板（１ａ）内面、天板（１ｂ）内面、両側板（１ｃ、１ｄ）内面および底板（１ｅ）内面のそれぞれの全面を覆うようにしたことを特徴とする請求項１記載のサウナ装置。
【請求項３】
前記面状ヒータ（Ｈ）をコードヒータ（Ｃ）とし、そのコードヒータ（Ｃ）の配線密度を各面状ヒータ部（Ｈａ、Ｈｂ、Ｈｃ、Ｈｄ、Ｈｅ）によって変えたものにしたことを特徴とする請求項１記載のサウナ装置。
【請求項４】
前記各面状ヒータ部（Ｈａ、Ｈｂ、Ｈｃ、Ｈｄ、Ｈｅ）のコードヒータ（Ｃ）を、天板用面状ヒータ部（Ｈｂ）から両側板用面状ヒータ部（Ｈｃ、Ｈｄ）の何れか一方、両側板用面状ヒータ部（Ｈｃ、Ｈｄ）の何れか一方から後板用面状ヒータ部（Ｈａ）、後板用面状ヒータ部（Ｈａ）から底板用面状ヒータ部（Ｈｅ）、底板用面状ヒータ部（Ｈｅ）から両側板用面状ヒータ部（Ｈｃ、Ｈｄ）の何れか他方の順で配線したものとしたことを特徴とする請求項３記載のサウナ装置。
【発明の詳細な説明】
【０００１】
【発明の属する技術分野】
この発明は、家庭用の小型サウナ風呂として用いられるのに適したボックス型のサウナ装置に関するものである。
【０００２】
【従来の技術】
従来、この種のサウナ装置において、その加熱源として面状ヒータが用いられたものが存在する。
【０００３】
このような面状ヒータが用いられたサウナ装置は、扉を前面に備えボックス型に形成され、この扉と対向するボックス体の背板内面および両側板内面にそれぞれ別体とした面状ヒータが配設されたものとしている。
【０００４】
さらに、面状ヒータが用いられたサウナ装置としては、例えば、特開平１９６５９８号公報に示されたサウナ装置が存在する。この公報に示されたサウナ装置は、前記サウナ装置と同様に、扉を前面に備えボックス型に形成され、この扉と対向するボックス体の背板内面および両側板内面などに、それぞれ別体とした面状ヒータが配設されたものとし、その面状ヒータと対向してボックス体の内面下部、すなわち扉内面の下部、両側板内面の下部などに反射フィルムを配設したものとしている。
【０００５】
【発明が解決しようとする課題】
しかしながら、上記従来の面状ヒータが用いられたサウナ装置では、ボックス体の背板内面および両側板内面にそれぞれ別体とした面状ヒータが配設されているため、各面状ヒータに対し別々に配線しなければならないので面倒であると共に、各面状ヒータから配線が露出して見た目が悪いという課題を有していた。
【０００６】
さらに、上記従来の先に述べたサウナ装置では、ボックス体の背板内面および両側板内面にそれぞれ面状ヒータが配設されているが、これらの面状ヒータで加熱されたボックス体内の空気は上昇し、逆にボックス体内の冷えた空気が下降し、ボックス体の天板側よりボックス体の底板側の温度が低くなるため、特に使用者がボックス体内に設置された椅子に座った状態の低姿勢である場合には、足元は言うに及ばす、下半身全体が寒く感じるという課題を有していた。
【０００７】
また、上記従来の後に述べたサウナ装置では、ボックス体の内面下部に配設した反射フィルムによる反射熱によって、ボックス体の底板側の温度が低くなるのは、ある程度解消されるが充分であるとは言えず、使用者の足元が依然として寒く感じるという課題を有していた。
【０００８】
そこで、この発明は、上記従来の課題を解決するものであり、ボックス体の背板内面および両側板内面などに配設した面状ヒータに別々に配線しなくてもよく、配線が目立たないようにし、さらにボックス体内の温度をムラなく上昇させて、使用者の下半身、特に足元を寒く感じさせないようにしたサウナ装置を提供することを目的としてなされたものである。
【０００９】
【課題を解決するための手段】
そのため、この発明のサウナ装置は、ボックス体１の後板１ａ内面、天板１ｂ内面、両側板１ｃ、１ｄ内面および底板１ｅ内面に、面状ヒータＨの後板用面状ヒータ部Ｈａ、天板用面状ヒータ部Ｈｂ、両側板用面状ヒータ部Ｈｃ、Ｈｄ、底板用面状ヒータ部Ｈｅがそれぞれが配設されたサウナ装置において、前記ボックス体１の後板１ａ内面に配設される面状ヒータＨの後板用面状ヒータ部Ｈａの上辺に、天板１ｂ内面に配設される天板用面状ヒータ部Ｈｂが連結され、後板用面状ヒータ部Ｈａの両側辺に、両側板１ｃ、１ｄ内面に配設される両側板用面状ヒータ部Ｈｃ、Ｈｄが連結され、さらに後板用面状ヒータ部Ｈａの下辺に、底板１ｅ内面に配設される底板用面状ヒータ部Ｈｅが連結されたものにしている。
【００１０】
そして、この発明のサウナ装置では、前記面状ヒータＨの各面状ヒータ部Ｈａ、Ｈｂ、Ｈｃ、ＨｄおよびＨｅは、前記ボックス体１の後板１ａ内面、天板１ｂ内面、両側板１ｃ、１ｄ内面および底板１ｅ内面のそれぞれの全面を覆うようにしている。
【００１１】
さらに、この発明のサウナ装置では、前記面状ヒータＨをコードヒータＣとし、そのコードヒータＣの配線密度を各面状ヒータ部Ｈａ、Ｈｂ、Ｈｃ、ＨｄおよびＨｅによって変えたものにすることができる。
【００１２】
また、この発明のサウナ装置では、前記各面状ヒータ部Ｈａ、Ｈｂ、Ｈｃ、Ｈｄ、ＨｅのコードヒータＣを、天板用面状ヒータ部Ｈｂから両側板用面状ヒータ部Ｈｃ、Ｈｄの何れか一方、両側板用面状ヒータ部Ｈｃ、Ｈｄの何れか一方から後板用面状ヒータ部Ｈａ、後板用面状ヒータ部Ｈａから底板用面状ヒータ部Ｈｅ、底板用面状ヒータ部Ｈｅから両側板用面状ヒータ部Ｈｃ、Ｈｄの何れか他方の順で配線したものとすることができる。
【００１３】
【発明の実施の形態】
以下、この発明のサウナ装置を、実施の形態として示した図面に基づいて詳細に説明する。
【００１４】
図１は、家庭用の小型サウナ風呂として用いられるボックス型としたこの発明のサウナ装置の実施の形態を示している。この発明のサウナ装置は、前面に扉（図示せず）が取り付けられ、後板１ａ、天板１ｂ、両側板１ｃ、１ｄおよび底板１ｅにより、前面開口のボックス体１として構成されている。
【００１５】
前記ボックス体１の後板１ａ内面、天板１ｂ内面、両側板１ｃ、１ｄ内面および底板１ｅ内面には、図２〜４に示すような面状ヒータＨの後板用面状ヒータ部Ｈａ、天板用面状ヒータ部Ｈｂ、両側板用面状ヒータ部Ｈｃ、Ｈｄ、底板用面状ヒータ部Ｈｅがそれぞれが配設されている。
【００１６】
前記ボックス体１の後板１ａ内面に配設される面状ヒータＨの後板用面状ヒータ部Ｈａの上辺には、天板１ｂ内面に配設される天板用面状ヒータ部Ｈｂが連結されている。そして、後板用面状ヒータ部Ｈａの両側辺には、両側板１ｃ、１ｄ内面に配設される両側板用面状ヒータ部Ｈｃ、Ｈｄが連結されている。さらに、後板用面状ヒータ部Ｈａの下辺には、底板１ｅ内面に配設される底板用面状ヒータ部Ｈｅが連結されている。
【００１７】
前記面状ヒータＨの各面状ヒータ部Ｈａ、Ｈｂ、Ｈｃ、ＨｄおよびＨｅは、図示した実施の形態では、前記ボックス体１の後板１ａ内面、天板１ｂ内面、両側板１ｃ、１ｄ内面および底板１ｅ内面のそれぞれの全面を覆うようにしているが、部分的に覆うようにしてもよく、必ずしも全面を覆うようにしないでもよい。
【００１８】
さらに、前記各面状ヒータ部Ｈａ、Ｈｂ、Ｈｃ、ＨｄおよびＨｅは、それぞれの発熱温度に差を付けたものとすることができる。すなわち、前記面状ヒータＨは、コードヒータＣとすることができ、この場合には図示したように、そのコードヒータＣの配線密度を各面状ヒータ部Ｈａ、Ｈｂ、Ｈｃ、ＨｄおよびＨｅによって変えたものにすれば、それぞれの発熱温度に差を付けたものとすることができる。例えば、図示したものでは、後板用面状ヒータ部Ｈａの中央部のコードヒータＣの配線密度を高くすると共に、両側板用面状ヒータ部Ｈｃ、Ｈｄの後板用面状ヒータ部Ｈａ寄りのコードヒータの配線密度を高くすることにより、これらの部分の発熱温度を高くして、ボックス体１の後板１ａ寄りの温度を上昇させ易くしている。
【００１９】
また、前記各面状ヒータ部Ｈａ、Ｈｂ、Ｈｃ、Ｈｄ、ＨｅのコードヒータＣを、天板用面状ヒータ部Ｈｂから両側板用面状ヒータ部Ｈｃ、Ｈｄの何れか一方、両側板用面状ヒータ部Ｈｃ、Ｈｄの何れか一方から後板用面状ヒータ部Ｈａ、後板用面状ヒータ部Ｈａから底板用面状ヒータ部Ｈｅ、底板用面状ヒータ部Ｈｅから両側板用面状ヒータ部Ｈｃ、Ｈｄの何れか他方の順で配線したものとすることができる。このようにすることにより、面状ヒータＨへのコードヒータＣの配線は、途中でコードを断線せずに行うことができるので、配線作業が簡単になると共に、面状ヒータＨからの露出度が少なくなり、体裁の良いものとなる。
【００２０】
なお、前記ボックス体１内には、すのこ等で形成された椅子２が設置されている。また、図示していないが、ボックス体１外の適当な個所には、電源スイッチ、タイマースイッチ、面状ヒータＨの各面状ヒータ部Ｈａ、Ｈｂ、Ｈｃ、ＨｄおよびＨｅの温度調整用のスイッチ等が取り付けられたコントロールパネル（図示せず）が設置されている。
【００２１】
以上のように構成したこの発明のサウナ装置では、ボックス体１の前面を除く、後板１ａ内面、天板１ｂ内面、両側板１ｃ、１ｄ内面および底板１ｅ内面に、面状ヒータＨの各面状ヒータ部Ｈａ、Ｈｂ、Ｈｃ、ＨｄおよびＨｅがそれぞれ配設されているので、この面状ヒータＨが入浴者を包み込むようにして、ボックス体１内の温度をムラなく上昇させることができる。したがって、入浴者の全身が温められることになり、入浴者がボックス体１内に設置された椅子２に座った状態の低姿勢である場合にも、入浴者の下半身、特に足元を温かくすることができるものとなった。
【００２２】
さらに、この発明のサウナ装置では、面状ヒータＨの各面状ヒータ部Ｈａ、Ｈｂ、Ｈｃ、ＨｄおよびＨｅのそれぞれの発熱温度に差を付けたものとすることにより、ボックス体１内の各個所における微妙な温度調節が可能となる。
【００２３】
【発明の効果】
この発明のサウナ装置は、以上に述べたように構成されているので、ボックス体の背板内面および両側板内面などに配設した面状ヒータに別々に配線しなくてもよく、配線が目立たないようになり、さらにボックス体内の温度をムラなく上昇させて、使用者の下半身、特に足元を寒く感じさせないものとなった。
【図面の簡単な説明】
【図１】この発明のサウナ装置の一実施形態を示す斜視図である。
【図２】この発明のサウナ装置に用いられる面状ヒータの展開図である。
【図３】図２に示す面状ヒータをボックス体内へ配設するために折り曲げて行く過程を示す斜視図である。
【図４】この発明のサウナ装置に用いられる面状ヒータのボックス体内への配設状態を示す説明図である。
【符号の説明】
１　ボックス体
１ａ　後板
１ｂ　天板
１ｃ　側板
１ｄ　側板
１ｅ　底板
Ｈ　面状ヒータ
Ｈａ　後板用面状ヒータ部
Ｈｂ　天板用面状ヒータ部
Ｈｃ　側板用面状ヒータ部
Ｈｄ　側板用面状ヒータ部
Ｈｅ　底板用面状ヒータ部
【図１】
2004089360.tif 000003
【図２】
2004089360.tif 000004
【図３】
2004089360.tif 000005
【図４】
2004089360.tif 000006